(57)【要約】  本発明の実施例は、ＬＴＥシステムにおいてトランキングページングを送受信する方法及び対応する装置を開示する。トランキングページングを送信する方法は、基地局がグループページング要求を受信した後、あらかじめ確定されたページングタイムスロットで該セル内のトランキング端末にページングの必要があるグループのグループ識別子を含むページングメッセージを送信することを含む。トランキングページングを送信する基地局は受信モジュール及び送信モジュールを備える。トランキングページングを受信する方法は、トランキング端末がページングメッセージをモニタリングした後、ページングメッセージに含まれるグループ識別子が本端末の所属するグループのグループ識別子と同一であると判断したと、グループサービスにアクセスし、基地局にページング応答を送信し、又は基地局にページング応答を送信せず、又はページングメッセージにおけるページング応答識別子情報に基づいて基地局にページング応答を送信するかどうかを判断する。トランキングページングを受信するトランキング端末はモニタリングモジュール、判断モジュール及びグループサービス処理モジュールを備える。【選択図】図１
2015537450.tif 000002
【特許請求の範囲】
【請求項１】
基地局がグループページング要求を受信した後、あらかじめ確定されたページングタイムスロットで該セル内のトランキング端末に、ページングの必要があるグループのグループ識別子を含むページングメッセージを送信することを含む、ロングタームエボリューション（ＬＴＥ）システムにおいてトランキングページングを送信する方法。
【請求項２】
前記基地局があらかじめ確定されたページングタイムスロットで該セル内のトランキング端末にページングメッセージを送信することは、
前記基地局は前記グループページング要求における発呼者が該セルに属し、且つ該セル内において前記グループページング要求のリソースが作成されていないと判断すると、前記グループページング要求のためにグループリソースを作成すると同時に又は前記グループページング要求のためにグループリソースを作成した後、あらかじめ確定されたページングタイムスロットで該セル内のトランキング端末にページングメッセージを送信することと、前記基地局は前記グループページング要求における発呼者が該セルに属しないと判断すると、あらかじめ確定されたページングタイムスロットで該セル内のトランキング端末にページングメッセージを送信することとを含む請求項１に記載の方法。
【請求項３】
前記あらかじめ確定されたページングタイムスロットで該セル内のトランキング端末にページングメッセージを送信することは、
該セル内に２つ以上のグループのページングメッセージを送信しようとする時、前記２つ以上のグループのページングメッセージを合併し、あらかじめ確定されたページングタイムスロットで該セル内のトランキング端末に合併後のページングメッセージを送信することを含む請求項１又は２に記載の方法。
【請求項４】
ページングメッセージを送信した後、
前記基地局はページング応答を待たず、該セル内に前記グループページング要求のリソースが作成されていないと判断すると、前記グループページング要求のためにリソースを作成し、ページングメッセージを周期的に送信することを更に含む請求項１又は２に記載の方法。
【請求項５】
前記ページングメッセージを周期的に送信することは、該セル内にページングの必要があるグループのページングメッセージを周期的に合併して送信することを含み、前記ページングメッセージがページングの必要がある１つ又は複数のグループのグループ識別子を含む請求項４に記載の方法。
【請求項６】
前記ページングメッセージはページングの必要があるグループに対応するページング応答識別子情報を更に含み、前記ページング応答識別子情報は対応するグループにおける端末がページング応答を送信する必要があるかどうかを指示することに用いられる請求項１又は２に記載の方法。
【請求項７】
前記基地局がグループにおける１つ又は複数の端末から送信されたページング応答を受信した後、再び前記グループにおける端末にページングメッセージを送信する時、前記ページング応答識別子情報は前記グループにおける端末がページング応答を送信する必要がないことを指示する請求項６に記載の方法。
【請求項８】
前記ページングメッセージは、ページングの必要があるグループに対応する優先度識別子情報を更に含む請求項１に記載の方法。
【請求項９】
前記該セル内のトランキング端末はアイドル状態にあるトランキング端末及び／又はＬＴＥサービス状態にあるトランキング端末を含む請求項１に記載の方法。
【請求項１０】
トランキング端末はページングメッセージをモニタリングした後、前記ページングメッセージに含まれるグループ識別子が該トランキング端末の所属するグループのグループ識別子と同一であると判断すると、グループサービスにアクセスすることと、
前記トランキング端末は基地局にページング応答を送信し、又は前記基地局にページング応答を送信せず、又は前記ページングメッセージに含まれるページング応答識別子情報に基づいて前記基地局にページング応答を送信するかどうかを判断することとを含む、ロングタームエボリューション（ＬＴＥ）システムにおいてトランキングページングを受信する方法。
【請求項１１】
前記トランキング端末がＬＴＥサービス状態にある時、前記基地局にページング応答を送信することは、前記トランキング端末が物理上りリンク共有チャネル（ＰＵＳＣＨ）でページング応答を送信することを含む請求項１０に記載の方法。
【請求項１２】
前記ページングメッセージに含まれるページング応答識別子情報に基づいて前記基地局にページング応答を送信するかどうかを判断することは、
前記ページング応答識別子情報がページング応答を送信する必要があることを指示すると判断した時、前記トランキング端末は前記基地局にページング応答を送信し、前記ページング応答識別子情報がページング応答を送信する必要がないことを指示すると判断した時、前記トランキング端末は前記基地局にページング応答を送信しないことを含む請求項１０に記載の方法。
【請求項１３】
前記の基地局にページング応答を送信することは、前記トランキング端末が直ちに基地局にページング応答を送信し、又は遅延した後に基地局にページング応答を送信することを含む請求項１０〜１２のいずれか一つに記載の方法。
【請求項１４】
前記ページングメッセージはグループに対応する優先度識別子情報を更に含み、
前記ページングメッセージに含まれるグループ識別子が該端末の所属するグループのグループ識別子と同一であると判断すると、グループサービスにアクセスすることは、
前記ページングメッセージに含まれる２つ以上のグループ識別子が該端末の所属するグループのグループ識別子と同一であると判断し、グループに対応する優先度識別子情報に基づいて、優先度が最も高いグループのグループサービスを選択してアクセスすることを含む請求項１０に記載の方法。
【請求項１５】
前記ページングメッセージはグループに対応する優先度識別子情報を更に含み、前記トランキング端末はグループサービスにあり、前記ページングメッセージに含まれるグループ識別子が該端末の所属するグループのグループ識別子と同一であると判断すると、グループサービスにアクセスすることは、
前記グループサービスにあるトランキング端末は、前記ページングメッセージに含まれるグループ識別子が該端末の所属するグループのグループ識別子と同一であると判断し、且つ前記ページングメッセージに含まれるグループの優先度が現在のグループの優先度より高いと、現在のグループサービスからログアウトし、前記ページングメッセージに含まれるグループ識別子が指示するグループサービスにアクセスすることを含む請求項１０又は１４に記載の方法。
【請求項１６】
グループページング要求を受信するように設定される受信モジュールと、
前記受信モジュールが前記グループページング要求を受信された後、あらかじめ確定されたページングタイムスロットで該セル内のトランキング端末にページングの必要があるグループのグループ識別子を含むページングメッセージを送信するように設定される送信モジュールとを含む、ロングタームエボリューション（ＬＴＥ）システムにおいてトランキングページングを送信する基地局。
【請求項１７】
前記基地局は、前記受信モジュールが前記グループページング要求を受信された後、前記グループページング要求における発呼者が該基地局セルに属するかどうかを判断するように設定される判断モジュールを更に含み、
前記送信モジュールは、
前記判断モジュールが、前記グループページング要求における発呼者が該セルに属すると判断し、且つ該セル内の前記グループページング要求のリソースが作成されていない時、前記グループページング要求のためにグループリソースを作成すると同時に又は前記グループページング要求のためにグループリソースを作成した後、あらかじめ確定されたページングタイムスロットで該セル内のトランキング端末にページングメッセージを送信し、及び前記判断モジュールが前記グループページング要求における発呼者が該セルに属しないと判断した時、あらかじめ確定されたページングタイムスロットで該セル内のトランキング端末にページングメッセージを送信するように設定される請求項１６に記載の基地局。
【請求項１８】
前記送信モジュールは、
該セル内に２つ以上のグループのページングメッセージを送信しようとする時、前記２つ以上のグループのページングメッセージを合併し、あらかじめ確定されたページングタイムスロットで該セル内のトランキング端末に合併後のページングメッセージを送信するように設定される請求項１６又は１７に記載の基地局。
【請求項１９】
前記送信モジュールがページングメッセージを送信した後、ページング応答を待たず、該セル内の前記グループページング要求のリソースが作成されていないと判断する時、前記グループページング要求のためにリソースを作成し、前記送信モジュールがページングメッセージを周期的に送信するように指示するように設定されるリソース作成モジュールを更に含む請求項１６又は１７に記載の基地局。
【請求項２０】
前記送信モジュールは、該セル内にページングの必要があるグループのページングメッセージを周期的に合併して送信するという方式で、ページングメッセージを周期的に送信するように設定され、前記ページングメッセージがページングの必要がある１つ又は複数のグループのグループ識別子を含む請求項１９に記載の基地局。
【請求項２１】
前記ページングメッセージはページングの必要があるグループに対応するページング応答識別子情報を更に含み、前記ページング応答識別子情報は対応するグループにおける端末がページング応答を送信する必要があるかどうかを指示することに用いられる請求項１６又は１７に記載の基地局。
【請求項２２】
前記基地局がグループにおける１つ又は複数の端末から送信されたページング応答を受信した後、前記送信モジュールが再び前記グループにおける端末にページングメッセージを送信する時、前記ページング応答識別子情報が、前記グループにおける端末がページング応答を送信する必要がないことを指示するように設定されるページング応答識別子情報設定モジュールを更に含む請求項２１に記載の基地局。
【請求項２３】
前記ページングメッセージは、ページングの必要があるグループに対応する優先度識別子情報を更に含む請求項１６に記載の基地局。
【請求項２４】
前記該セル内のトランキング端末はアイドル状態にあるトランキング端末及び／又はＬＴＥサービス状態にあるトランキング端末を含む請求項１６に記載の基地局。
【請求項２５】
ページングメッセージをモニタリングするように設定されるモニタリングモジュールと、
前記モニタリングモジュールがページングメッセージをモニタリングした後、前記ページングメッセージに含まれるグループ識別子が該端末の所属するグループのグループ識別子と同一であるかどうかを判断するように設定される判断モジュールと、
前記判断モジュールが、前記ページングメッセージに含まれるグループ識別子が該トランキング端末の所属するグループのグループ識別子と同一であると判断した時、グループサービスにアクセスし、基地局にページング応答を送信し、又は前記基地局にページング応答を送信せず、又は前記ページングメッセージに含まれるページング応答識別子情報に基づいて前記基地局にページング応答を送信するかどうかを判断するように設定されるグループサービス処理モジュールとを含む、ロングタームエボリューション（ＬＴＥ）システムにおいてトランキングページングを受信するトランキング端末。
【請求項２６】
前記グループサービス処理モジュールは、該トランキング端末がＬＴＥサービス状態にあると判断した時、前記グループサービス処理モジュールが物理上りリンク共有チャネル（ＰＵＳＣＨ）でページング応答を送信するという方式で、基地局にページング応答を送信するように設定される請求項２５に記載のトランキング端末。
【請求項２７】
前記グループサービス処理モジュールは、
前記ページング応答識別子情報がページング応答を送信する必要があることを指示すると判断した時、前記基地局にページング応答を送信し、前記ページング応答識別子情報がページング応答を送信する必要がないことを指示すると判断した時、前記基地局にページング応答を送信しないという方式で、前記基地局にページング応答を送信するかどうかを判断するように設定される請求項２５に記載のトランキング端末。
【請求項２８】
前記グループサービス処理モジュールは、直ちに基地局にページング応答を送信し、又は遅延した後に基地局にページング応答を送信するという方式で、基地局にページング応答を送信するように設定される請求項２５〜２７のいずれか一つに記載のトランキング端末。
【請求項２９】
前記ページングメッセージはグループに対応する優先度識別子情報を更に含み、
前記グループサービス処理モジュールは、
前記判断モジュールが、前記ページングメッセージに含まれる２つ以上のグループ識別子が該端末の所属するグループのグループ識別子と同一であると判断した時、グループに対応する優先度識別子情報に基づいて、優先度が最も高いグループのグループサービスを選択してアクセスするという方式で、グループサービスにアクセスするように設定される請求項２５に記載のトランキング端末。
【請求項３０】
前記ページングメッセージはグループに対応する優先度識別子情報を更に含み、且つ現在のトランキング端末がグループサービスにある時、前記グループサービス処理モジュールは、
前記判断モジュールが、前記ページングメッセージに含まれるグループ識別子が該端末の所属するグループのグループ識別子と同一であると判断した時、前記ページングメッセージに含まれるグループの優先度が現在のグループの優先度より高いと判断すると、前記トランキング端末を、現在のグループサービスからログアウトさせ、前記ページングメッセージに含まれるグループ識別子が指示するグループサービスにアクセスさせるという方式で、グループサービスにアクセスするように設定される請求項２５又は２９に記載のトランキング端末。
【発明の詳細な説明】
【技術分野】
【０００１】
本発明は移動通信技術分野に関し、具体的にはＬＴＥ（Ｌｏｎｇ  Ｔｅｒｍ  Ｅｖｏｌｕｔｉｏｎ，ロングタームエボリューション）システムにおいてトランキングページングを送受信する方法及び対応する装置に関する。
【背景技術】
【０００２】
ＬＴＥは３ＧＰＰロングタームエボリューションプロジェクトであり、過去２年間以来、３ＧＰＰの最大の新技術研究開発プロジェクトであり、このようなＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重）及びＦＤＭＡ（Ｆｒｅｑｕｅｎｃｙ  Ｄｉｖｉｓｉｏｎ  Ｍｕｌｔｉｐｌｅ  Ａｄｄｒｅｓｓｉｎｇ、周波数分割多重アクセス）を中核とする技術は仮４Ｇ技術とみなされてもよい。ＬＴＥの主な長所はピークレートが高く、システム遅延が小さく、帯域幅の柔軟な設定をサポートすることである。例えば、２０ＭＨｚスペクトル帯域幅は下りリンク１００Ｍｂｐｓ、上りリンク５０Ｍｂｐｓのピークレートを提供することができ、ユーザプレーン内部の単方向伝送遅延が５ｍｓより小さく、１．２５ＭＨｚ〜２０ＭＨｚ帯域幅の柔軟的な設定をサポートし、更に、キャリアアグリゲーション技術を用いてもよく、更にセル容量を向上させる。ＬＴＥの適用は広く期待される。
【０００３】
ＣＤＭＡ（Ｃｏｄｅ  Ｄｉｖｉｓｉｏｎ  Ｍｕｌｔｉｐｌｅ  Ａｃｃｅｓｓ、符号分割多元接続と称される）２０００の専門トランキングシステムページング送信方式は、端末ＩＭＳＩ（Ｉｎｔｅｒｎａｔｉｏｎａｌ  Ｍｏｂｉｌｅ  ＳｕｂｓｃｒｉｂｅｒＩｄｅｎｔｉｆｉｃａｔｉｏｎ  Ｎｕｍｂｅｒ、国際移動加入者識別番号）に基づいてハッシュを行い、特定されたタイムスロットで送信し、グループにおいてモニタリングユーザが多い時、ページング量が大きくなり、且つＩＭＳＩをＰＤＳ（ＰＴＴ  Ｄｉｓｐａｔｃｈ  Ｓｅｒｖｅｒ、ＰＴＴディスパッチサーバ）がＢＳＣ（Ｂａｓｅ  Ｓｔａｔｉｏｎ  Ｃｏｎｔｒｏｌｌｅｒ、基地局制御装置）に送信する必要があり、ＢＳＣはＩＭＳＩを保存し、一定のオーバーヘッドが必要である。ＣＤＭＡ２０００に基づく専門トランキングシステムは過去の数年間に幅広く適用され、将来のＣＤＭＡ  ２０００ネットワークとＬＴＥネットワークが共存する時、トランキングシステムから４Ｇへのスムーズな移行をどのように実現するかは、研究すべき課題である。
【発明の概要】
【発明が解決しようとする課題】
【０００４】
本発明の実施例は、ＬＴＥシステムにおいてトランキングページングを送信する方法及び対応する装置を提供しており、ページングメッセージ送信の数量を減少させることができる。
【課題を解決するための手段】
【０００５】
本発明の実施例はＬＴＥシステムにおいてトランキングページングを送信する方法を提供しており、
基地局がグループページング要求を受信した後、あらかじめ確定されたページングタイムスロットで該セル内のトランキング端末にページングの必要があるグループのグループ識別子を含むページングメッセージを送信することを含む。
【０００６】
好ましくは、前記基地局があらかじめ確定されたページングタイムスロットで該セル内のトランキング端末にページングメッセージを送信することは、
前記基地局は前記グループページング要求における発呼者が該セルに属し、且つ該セル内において前記グループページング要求のリソースが作成されていないと判断したと、前記グループページング要求にグループリソースを作成すると同時に又は前記グループページング要求にグループリソースを作成した後、あらかじめ確定されたページングタイムスロットで該セル内のトランキング端末にページングメッセージを送信すること、前記基地局は前記グループページング要求における発呼者が該セルに属しないと判断したと、あらかじめ確定されたページングタイムスロットで該セル内のトランキング端末にページングメッセージを送信することを含む。
【０００７】
好ましくは、前記のあらかじめ確定されたページングタイムスロットで該セル内のトランキング端末にページングメッセージを送信することは、
該セル内に２つ以上のグループのページングメッセージを送信する時、前記２つ以上のグループのページングメッセージを合併し、あらかじめ確定されたページングタイムスロットで該セル内のトランキング端末に合併後のページングメッセージを送信することを含む。
【０００８】
好ましくは、ページングメッセージを送信した後、前記方法は、
前記基地局はページング応答を待たず、該セル内に前記グループページング要求のリソースが作成されていないと判断したと、前記グループページング要求にリソースを作成し、ページングメッセージを周期的に送信することを更に含む。
【０００９】
好ましくは、前記ページングメッセージを周期的に送信することは、該セル内にページングの必要があるグループのページングメッセージを周期的に合併、送信することを含み、前記ページングメッセージがページングの必要がある１つ又は複数のグループのグループ識別子を含む。
【００１０】
好ましくは、前記ページングメッセージはページングの必要があるグループに対応するページング応答識別子情報を更に含み、前記ページング応答識別子情報は対応するグループにおける端末がページング応答を送信する必要があるかどうかを指示することに用いられる。
【００１１】
好ましくは、前記基地局がグループにおける１つ又は複数の端末から送信されたページング応答を受信した後、再び前記グループにおける端末にページングメッセージを送信する時、前記ページング応答識別子情報は前記グループにおける端末がページング応答を送信する必要がないことを指示する。
【００１２】
好ましくは、前記ページングメッセージは、ページングの必要があるグループに対応する優先度識別子情報を更に含む。
【００１３】
好ましくは、前記該セル内のトランキング端末はアイドル状態にあるトランキング端末及び／又はＬＴＥサービス状態にあるトランキング端末を含む。
【００１４】
本発明の実施例は、ＬＴＥシステムにおいてトランキングページングを送信する基地局を更に提供しており、受信モジュール及び送信モジュールを備え、
前記受信モジュールは、グループページング要求を受信するように設定され、
前記送信モジュールは、前記受信モジュールが前記グループページング要求を受信した後、あらかじめ確定されたページングタイムスロットで該セル内のトランキング端末にページングの必要があるグループのグループ識別子を含むページングメッセージを送信するように設定される。
【００１５】
前記基地局は、前記受信モジュールが前記グループページング要求を受信した後、前記グループページング要求における発呼者が該基地局セルに属するかどうかを判断するように設定される判断モジュールを更に備え、
前記送信モジュールは、
前記判断モジュールは前記グループページング要求における発呼者が該セルに属すると判断し、且つ該セル内の前記グループページング要求のリソースが作成されていない時、前記グループページング要求にグループリソースを作成すると同時に又は前記グループページング要求にグループリソースを作成した後、あらかじめ確定されたページングタイムスロットで該セル内のトランキング端末にページングメッセージを送信し、及び前記判断モジュールは前記グループページング要求における発呼者が該セルに属しないと判断した時、あらかじめ確定されたページングタイムスロットで該セル内のトランキング端末にページングメッセージを送信するように設定される。
【００１６】
好ましくは、前記送信モジュールは、
該セル内に２つ以上のグループのページングメッセージを送信する時、前記２つ以上のグループのページングメッセージを合併し、あらかじめ確定されたページングタイムスロットで該セル内のトランキング端末に合併後のページングメッセージを送信するように設定される。
【００１７】
好ましくは、前記基地局は、前記送信モジュールがページングメッセージを送信した後、ページング応答を待たず、該セル内の前記グループページング要求のリソースが作成されていないと判断した時、前記グループページング要求にリソースを作成し、前記送信モジュールがページングメッセージを周期的に送信するように指示するように設定されるリソース作成モジュールを更に備える。
【００１８】
好ましくは、前記送信モジュールは、該セル内にページングの必要があるグループのページングメッセージを周期的に合併、送信するという方式で、ページングメッセージを周期的に送信するように設定され、前記ページングメッセージはページングの必要がある１つ又は複数のグループのグループ識別子を含む。
【００１９】
好ましくは、前記ページングメッセージはページングの必要があるグループに対応するページング応答識別子情報を更に含み、前記ページング応答識別子情報は対応するグループにおける端末がページング応答を送信する必要があるかどうかを指示することに用いられる。
【００２０】
好ましくは、前記基地局は、そのページング応答識別子情報は、前記基地局がグループにおける１つ又は複数の端末から送信されたページング応答を受信した後、前記送信モジュールが再び前記グループにおける端末にページングメッセージを送信する時、前記ページング応答識別子情報が前記グループにおける端末がページング応答を送信する必要がないことを指示するように設定するページング応答識別子情報設定モジュールを更に備える。
【００２１】
好ましくは、前記ページングメッセージは、ページングの必要があるグループに対応する優先度識別子情報を更に含む。
【００２２】
好ましくは、前記該セル内のトランキング端末はアイドル状態にあるトランキング端末及び／又はＬＴＥサービス状態にあるトランキング端末を含む。
【００２３】
上記技術問題を解決するために、本発明の実施例はＬＴＥシステムにおいてトランキングページングを受信する方法を更に提供しており、
トランキング端末がページングメッセージをモニタリングした後、前記ページングメッセージに含まれるグループ識別子が本トランキング端末の所属するグループのグループ識別子と同一であると判断したと、グループサービスにアクセスすること、
前記トランキング端末は基地局にページング応答を送信し、又は前記基地局にページング応答を送信せず、又は前記ページングメッセージに含まれるページング応答識別子情報に基づいて前記基地局にページング応答を送信するかどうかを判断することを含む。
【００２４】
好ましくは、前記トランキング端末がＬＴＥサービス状態にある時、前記の基地局にページング応答を送信することは、前記トランキング端末が物理上りリンク共有チャネル（ＰＵＳＣＨ）でページング応答を送信することを含む。
【００２５】
好ましくは、前記ページングメッセージに含まれるページング応答識別子情報に基づいて前記基地局にページング応答を送信するかどうかを判断することは、
前記ページング応答識別子情報がページング応答を送信する必要があることを指示すると判断したと、前記トランキング端末が前記基地局にページング応答を送信し、前記ページング応答識別子情報がページング応答を送信する必要がないことを指示すると判断したと、前記トランキング端末が前記基地局にページング応答を送信しないことを含む。
【００２６】
好ましくは、前記の基地局にページング応答を送信することは、前記トランキング端末が直ちに基地局にページング応答を送信し、又は遅延した後に基地局にページング応答を送信することを含む。
【００２７】
好ましくは、前記ページングメッセージはグループに対応する優先度識別子情報を更に含み、
前記のページングメッセージに含まれるグループ識別子が本端末の所属するグループのグループ識別子と同一であると判断したと、グループサービスにアクセスすることは、
前記ページングメッセージに含まれる２つ以上のグループ識別子が本端末の所属するグループのグループ識別子と同一であると判断し、グループに対応する優先度識別子情報に基づいて、優先度が最も高いグループのグループサービスを選択してアクセスすることを含む。
【００２８】
好ましくは、前記ページングメッセージはグループに対応する優先度識別子情報を更に含み、前記トランキング端末はグループサービスにあり、前記のページングメッセージに含まれるグループ識別子が本端末の所属するグループのグループ識別子と同一であると判断したと、グループサービスにアクセスすることは、
前記のグループサービスにあるトランキング端末は、前記ページングメッセージに含まれるグループ識別子が本端末の所属するグループのグループ識別子と同一であると判断し、且つ前記ページングメッセージに含まれるグループの優先度が現在のグループの優先度より高いと、現在のグループサービスからログアウトし、前記ページングメッセージに含まれるグループ識別子が指示するグループサービスにアクセスすることを含む。
【００２９】
上記技術問題を解決するために、本発明の実施例はＬＴＥシステムにおいてトランキングページングを受信するトランキング端末を更に提供しており、モニタリングモジュール、判断モジュール及びグループサービス処理モジュールを備え、
前記モニタリングモジュールは、ページングメッセージをモニタリングするように設定され、
前記判断モジュールは、前記モニタリングモジュールがページングメッセージをモニタリングした後、前記ページングメッセージに含まれるグループ識別子が本端末の所属するグループのグループ識別子と同一であるかどうかを判断するように設定され、
前記グループサービス処理モジュールは、前記判断モジュールが前記ページングメッセージに含まれるグループ識別子が本トランキング端末の所属するグループのグループ識別子と同一であると判断した時、グループサービスにアクセスし、基地局にページング応答を送信し、又は前記基地局にページング応答を送信せず、又は前記ページングメッセージに含まれるページング応答識別子情報に基づいて前記基地局にページング応答を送信するかどうかを判断するように設定される。
【００３０】
好ましくは、前記グループサービス処理モジュールは、本トランキング端末がＬＴＥサービス状態にあると判断した時、前記グループサービス処理モジュールが物理上りリンク共有チャネル（ＰＵＳＣＨ）でページング応答を送信するという方式で、基地局にページング応答を送信するように設定される。
【００３１】
好ましくは、前記グループサービス処理モジュールは、
前記ページング応答識別子情報がページング応答を送信する必要があることを指示すると判断したと、前記基地局にページング応答を送信し、前記ページング応答識別子情報がページング応答を送信する必要がないことを指示すると判断したと、前記基地局にページング応答を送信しないという方式で、前記基地局にページング応答を送信するかどうかを判断するように設定される。
【００３２】
好ましくは、前記グループサービス処理モジュールは、直ちに基地局にページング応答を送信し、又は遅延した後に基地局にページング応答を送信するという方式で、基地局にページング応答を送信するように設定される。
【００３３】
好ましくは、前記ページングメッセージはグループに対応する優先度識別子情報を更に含み、
前記グループサービス処理モジュールは、
前記判断モジュールが前記ページングメッセージに含まれる２つ以上のグループ識別子が本端末の所属するグループのグループ識別子と同一であると判断した時、グループに対応する優先度識別子情報に基づいて、優先度が最も高いグループのグループサービスを選択してアクセスするという方式で、グループサービスにアクセスするように設定される。
【００３４】
好ましくは、前記ページングメッセージはグループに対応する優先度識別子情報を更に含み、且つ現在のトランキング端末がグループサービスにある時、前記グループサービス処理モジュールは、
前記判断モジュールが、前記ページングメッセージに含まれるグループ識別子が本端末の所属するグループのグループ識別子と同一であると判断した時、前記ページングメッセージに含まれるグループの優先度が現在のグループの優先度より高いと判断したと、前記トランキング端末が現在のグループサービスからログアウトし、前記ページングメッセージに含まれるグループ識別子が指示するグループサービスにアクセスするという方式で、グループサービスにアクセスするように設定される。
【発明の効果】
【００３５】
本発明の実施例は、ＬＴＥプロトコルアーキテクチャに基づいてトランキング機能を達成し、１つのページングメッセージにページングの必要があるすべてのグループのグループ識別子を含むことにより、ページングを分散送信する時の各プロトコル層のヘッダーオーバーヘッドを減少させ、システム容量を向上させ、システムの実現の複雑度を低減させることができる。さらに、ページングメッセージにページング応答識別子ビットを含むことにより、端末がページング応答を送信するように制御し、上りリンクリソースへの占用を減少させることができる。また、端末がページング応答を送信することに対して常にランダム化処理を行うことにより、上りリンクにおける衝突を減少させることができる。本願の方法及び装置によれば、システムがトランキングページングを周期的に送信する複雑度を低減させ、下りリンクページングオーバーヘッド及び上りリンクページング応答オーバーヘッドを減少させ、システム容量を向上させることができる。
【図面の簡単な説明】
【００３６】
【図１】図１は本発明の実施例１に係る基地局がページングメッセージを送信するフローチャートである。
【図２】図２は本発明の実施例に係るシステムの構造模式図である。
【図３】図３は本発明の実施例２に係る端末がページングメッセージを受信するフローチャートである。
【図４】図４は応用例１に係るトランキング端末がグループコールを受信した後直ちにページング応答を送信する達成フローチャートである。
【図５】図５は応用例２に係るトランキング端末がグループコールを受信した後ページング応答を遅延送信する達成フローチャートである。
【図６】図６は応用例３に係るトランキングページングメッセージに識別子ビットを増加し、端末が直ちにページング応答を送信する達成フローチャートである。
【図７】図７は応用例４に係るトランキングページングメッセージに識別子ビットを増加し、端末がページング応答を遅延送信する達成フローチャートである。
【図８】図８は応用例５に係るトランキング端末がページング応答を送信しない達成フローチャートである。
【図９】図９は応用例６に係るトランキング端末がＬＴＥサービス状態でトランキングページングを受信する達成フローチャートである。
【図１０】図１０は応用例７に係る基地局が発信セルでページングを送信しない達成フローチャートである。
【発明を実施するための形態】
【００３７】
以下、図面を参照しながら、本発明の実施例を詳細に説明する。なお、衝突がない場合、本願における実施例及び実施例における特徴は任意に組み合せることができる。
【００３８】
本文に記載の「複数の」は「２つ以上」に等しく、前記「２つ以上」は「２つ」を含む。本文に記載の端末は、特段な説明のない限り、いずれもトランキング端末を指す。本文に記載の基地局はトランキングサービスをサポートする基地局である。本文に記載のページングメッセージはトランキングページングメッセージである。
【００３９】
実施例１
本実施例はＬＴＥシステムにおいてトランキングページングを送信する方法を説明し、図１に示すように、
基地局がグループページング要求を受信するステップ１０、
あらかじめ確定されたページングタイムスロットで該セル内のトランキング端末にページングの必要があるグループのグループ識別子を含むページングメッセージを送信するステップ１１を含む。
【００４０】
トランキングサービスに対して、グループにおいて各端末がモニタリングするページングメッセージはいずれも同じであり、それぞれの端末に対して独立にページングメッセージを送信する必要がない。従って本実施例は１つのページングメッセージにページングの必要があるすべてのグループのグループ識別子を含むことにより、ページングメッセージの送信の数量を減少させると同時に、ページングを分散送信する時の各プロトコル層のヘッダーオーバーヘッドを減少させ、システム容量を向上させ、システムの実現の複雑度を低減させることができる。
【００４１】
１つの好適な実施例では、基地局は発呼者が該セルに属するかどうかに基づいて区別処理を行い、
基地局がグループページング要求における発呼者が該セルに属すると判断し、且つ該セル内に該グループページング要求のリソースが作成されていないと、該グループページング要求にグループリソースを作成すると同時に又は該グループページング要求にグループリソースを作成した後、あらかじめ確定されたページングタイムスロットで該セル内のトランキング端末にページングメッセージを送信し、発呼者が該セルに属するグループページング要求に対して、グループリソースを予め作成し、グループサービスの作成を加速させることができ、前記グループページング要求における発呼者が該セルに属しないと判断したと、あらかじめ確定されたページングタイムスロットで該セル内のトランキング端末にページングメッセージを送信する。
【００４２】
上記の該セル内のトランキング端末にページングメッセージを送信する方式の１つは、該セル内に２つ以上のグループのページングメッセージを送信する時、該セル内にページングの必要がある２つ以上のグループのページングメッセージを合併し、あらかじめ確定されたページングタイムスロットで該セル内のトランキング端末に合併後のページングメッセージを送信する。
【００４３】
グループサービスの作成を加速させるために、１つの好適な実施例では、ページングメッセージを送信した後、基地局は、ページング応答を待たず、該セル内に該グループページング要求のリソースが作成されていないと判断しさえすれば、該グループページング要求にリソースを作成し、ページングメッセージを周期的に送信する。ページングメッセージを周期的に送信する時、ページングメッセージを合併するという方式で送信することができ、この場合のページングメッセージはページングの必要がある１つ又は複数のグループのグループ識別子を含む。
【００４４】
別の好適な実施例では、ページングメッセージはページングの必要があるグループに対応するページング応答識別子情報（又はページング応答識別子ビットと称される）を更に含むように設定され、そのページング応答識別子情報は対応するグループにおける端末がページング応答を送信する必要があるかどうかを指示することに用いられる。初回にグループにおけるトランキング端末にページングメッセージを送信する時、該ページング応答識別子情報を含まなくてもよく、又は含まれるページング応答識別子情報はグループにおける端末がページング応答を送信する必要があることを指示し、基地局がグループにおける１つ又は複数の端末から送信されたページング応答を受信した後、再び該グループにおける端末にページングメッセージを送信する時、ページング応答識別子情報は前記グループにおける端末がページング応答を送信する必要がないことを指示するように設定される。上りリンクリソースへの占用を減少させるように、上記識別子ビットによりセルでの端末がページング応答の送信を停止するかどうかを制御することができる。
【００４５】
別の好適な実施例では、該ページングメッセージはページングの必要があるグループに対応する優先度識別子情報を更に含んでもよい。この優先度識別子情報は、端末が複数のグループのページングメッセージを受信する時どのグループにアクセスするかを判断する場合に用いられる。
【００４６】
基地局がページングメッセージを送信する該セルのトランキング端末はアイドル状態にあるトランキング端末及び／又はＬＴＥサービス状態にあるトランキング端末を含む。
【００４７】
上記方法を実現する基地局は図２に示すように、受信モジュール及び送信モジュールを備え、
該受信モジュールは、グループページング要求を受信するように設定され、
該送信モジュールは、該受信モジュールが該グループページング要求を受信した後、あらかじめ確定されたページングタイムスロットで該セル内のトランキング端末にページングの必要があるグループのグループ識別子を含むページングメッセージを送信するように設定される。
【００４８】
１つの好適な実施例では、該基地局は、該受信モジュールがグループページング要求を受信した後、該グループページング要求における発呼者が該基地局セルに属するかどうかを判断するように設定される第１の判断モジュールを更に備え、送信モジュールは、該第１の判断モジュールがグループページング要求における発呼者が該セルに属すると判断し、且つ送信モジュールが該セル内の前記グループページング要求のリソースが作成されていないと判断した時、該グループページング要求にグループリソースを作成すると同時に又は該グループページング要求にグループリソースを作成した後、あらかじめ確定されたページングタイムスロットで該セル内のトランキング端末にページングメッセージを送信し、及び該第１の判断モジュールがグループページング要求における発呼者が該セルに属しないと判断した時、あらかじめ確定されたページングタイムスロットで該セル内のトランキング端末にページングメッセージを送信する。
【００４９】
送信モジュールがページングメッセージを送信する時、ページングメッセージを合併する方式を用いてもよく、例えば、該セル内に２つ以上のグループのページングメッセージを送信する時、送信モジュールは該セル内にページングの必要がある２つ以上のグループのページングメッセージを合併する。
【００５０】
別の好適な実施例では、上記基地局は、送信モジュールがページングメッセージを送信した後、ページング応答を待たず、該セル内に該グループページング要求のリソースが作成されていないと判断した時、該グループページング要求にリソースを作成し、且つ送信モジュールがページングメッセージを周期的に送信するように指示するように設定されるリソース作成モジュールを更に備えてもよい。送信モジュールはページングメッセージを周期的に送信する時、該セル内にページングの必要があるグループのページングメッセージを周期的に合併、送信することができ、この時、ページングメッセージはページングの必要がある１つ又は複数のグループのグループ識別子を含む。
【００５１】
別の好適な実施例では、ページングメッセージは、ページングの必要があるグループに対応するページング応答識別子情報を更に含んでもよく、このページング応答識別子情報は対応するグループにおける端末がページング応答を送信する必要があるかどうかを指示することに用いられる。基地局は、基地局がグループにおける１つ又は複数の端末から送信されたページング応答を受信した後、送信モジュールが再び前記グループにおける端末にページングメッセージを送信する時、前記ページング応答識別子情報が前記グループにおける端末がページング応答を送信する必要がないことを指示するように設定するように設定されるページング応答識別子情報設定モジュールを備えてもよい。
【００５２】
実施例２
本実施例に係るＬＴＥシステムにおいてトランキングページングを送信する方法は、図３に示すように、
トランキング端末がページングメッセージをモニタリングするステップ２０、
ページングメッセージをモニタリングした後、前記ページングメッセージに含まれるグループ識別子が本端末の所属するグループのグループ識別子と同一であると判断したと、グループサービスにアクセスし、基地局にページング応答を送信し、又は前記基地局にページング応答を送信せず、又は前記ページングメッセージのページング応答識別子情報に基づいて前記基地局にページング応答を送信するかどうかを判断するステップ２１を含む。
【００５３】
端末がページング応答を送信する方式に対して異なる処理を行うことにより、異なるシステムの必要に適応することができる。
【００５４】
ページングメッセージに含まれるグループ識別子が本端末の前記グループ識別子と同じではないと判断したと、グループサービスにアクセスせず、前記基地局にページング応答を送信しない。
【００５５】
トランキング端末はＬＴＥサービス状態にあり、且つ基地局にページング応答を送信する必要がある時、物理上りリンク共有チャネル（ＰＵＳＣＨ）によりページング応答を送信する。
【００５６】
上記ページング応答識別子情報は対応するグループにおける端末がページング応答を送信する必要があるかどうかを指示することに用いられ、ページング応答識別子情報はページング応答を送信する必要があることを指示すると、トランキング端末は基地局にページング応答を送信し、ページング応答識別子情報はページング応答を送信する必要がないことを指示すると、トランキング端末は基地局にページング応答を送信しない。
【００５７】
トランキング端末は基地局にページング応答を送信する時、ページングメッセージを受信した後直ちに基地局にページング応答を送信してもよく、又はある期間（該期間はランダムに决めてもよい）遅延した後基地局にページング応答を送信してもよい。端末がページング応答を送信する遅延はランダムに決定された後、上りリンクにおける衝突の発生を減少させることができる。
【００５８】
１つの好適な実施例では、該ページングメッセージはグループに対応する優先度識別子情報を更に含んでもよく、ページングメッセージに含まれる２つ以上のグループ識別子がいずれも本端末の所属するグループのグループ識別子と同じと、端末はグループに対応する優先度識別子情報に基づいて、優先度が最も高いグループのグループサービスを選択してアクセスすることができる。
【００５９】
トランキング端末が現在にグループサービスにあり、且つページングメッセージに含まれるグループ識別子が本端末の所属するグループのグループ識別子と同一であると、優先度に基づいて現在のグループサービスからログアウトするかどうかを決めることができ、ページングメッセージのグループの優先度が現在のグループの優先度より高いと、現在のグループサービスからログアウトし、ページングメッセージのグループ識別子が指示するグループサービスにアクセスし、さもないと、現状を維持する。
【００６０】
上記方法を実現するトランキング端末は、図２に示すように、モニタリングモジュール、第２の判断モジュール及びグループサービス処理モジュールを備え、そのうち、
該モニタリングモジュールは、ページングメッセージをモニタリングするように設定され、
該第２の判断モジュールは、モニタリングモジュールがページングメッセージをモニタリングした後、ページングメッセージに含まれるグループ識別子が本端末の所属するグループのグループ識別子と同一であるかどうかを判断するように設定され、
該グループサービス処理モジュールは、第２の判断モジュールが、ページングメッセージに含まれるグループ識別子が本端末の所属するグループのグループ識別子と同一であると判断した時、グループサービスにアクセスし、基地局にページング応答を送信し、又は前記基地局にページング応答を送信せず、又は前記ページングメッセージのページング応答識別子情報に基づいて前記基地局にページング応答を送信するかどうかを判断するように設定される。
【００６１】
グループサービス処理モジュールは本トランキング端末がＬＴＥサービス状態にあると判断した時、ＰＵＳＣＨでページング応答を送信する。
【００６２】
上記グループサービス処理モジュールはページングメッセージのページング応答識別子情報に基づいて基地局にページング応答を送信するかどうかを判断することは、グループサービス処理モジュールは、ページング応答識別子情報がページング応答を送信する必要があることを指示すると判断したと、基地局にページング応答を送信し、ページング応答を送信する必要がないことを指示すると判断したと、基地局にページング応答を送信しないことを含む。
【００６３】
グループサービス処理モジュールが基地局にページング応答を送信する方式は、第２の判断モジュールが、ページングメッセージに含まれるグループ識別子が本端末の所属するグループのグループ識別子と同一であると判断した時、直ちに基地局にページング応答を送信し、又はある期間遅延した後基地局にページング応答を送信することであってもよい。
【００６４】
１つの好適な実施例では、ページングメッセージはグループに対応する優先度識別子情報を更に含んでもよく、グループサービス処理モジュールは、第２の判断モジュールが、ページングメッセージに含まれる２つ以上のグループ識別子が本端末の所属するグループのグループ識別子と同じであると判断した時、ページングメッセージに含まれている、グループに対応する優先度識別子情報に基づいて、優先度が最も高いグループのグループサービスを選択してアクセスする。
【００６５】
現在のトランキング端末がグループサービスにあると、該グループサービス処理モジュールは、第２の判断モジュールが、ページングメッセージに含まれるグループ識別子が本端末の所属するグループのグループ識別子と同一であると判断した時、ページングメッセージに含まれるグループの優先度が現在のグループの優先度より高いかどうかを判断し、高いと、本トランキング端末が現在のグループサービスからログアウトし、ページングメッセージのグループ識別子が指示するグループサービスにアクセスし、高くないと、処理しない。
【００６６】
以下、応用例を参照しながら上記実施例を詳細に説明し、なお、衝突がない場合、各応用例及び例における特徴は任意に組み合せることができる。
【００６７】
応用例１
図４に示すように、本示例では、発呼者と被呼者は同一のセルに位置せず、且つ被呼者トランキング端末がアイドル状態にあり、トランキングサービスをサポートする基地局が被呼者トランキング端末に送信したページングメッセージはグループ識別子を含み、被呼者トランキング端末が直ちにページング応答を送信し、それは以下のステップ１０１〜１０５を含む。
【００６８】
ステップ１０１：基地局はトランキングページングタイムスロットを確定してトランキング端末に通知する（例えばＳＩＢにおいて端末に通知し、ただし、ＳＩＢに限られない）。
該トランキングページングタイムスロットは、トランキング端末がトランキングページングをモニタリングすることに用いられる。
【００６９】
ステップ１０２：グループコールを作成する時、基地局は該セルで各グループに送信する必要があるページングメッセージを合併し、確定されたトランキングページングタイムスロットで該セルでのトランキング端末に送信し、該ページングメッセージはページングの必要があるグループのグループ識別子（ＧｒｏｕｐＩＤ、又はグループ番号と称される）を含んでいる。
好ましくは、該ページングメッセージは他のグループ情報、例えばＴ−ＲＮＴＩ（Ｔｒｕｎｋｉｎｇ−Ｒａｄｉｏ  Ｎｅｔｗｏｒｋ  Ｔｅｍｐｏｒａｒｙ  Ｉｄｅｎｔｉｔｙ、トランキング−無線ネットワーク一時識別子）等を含んでもよい。
【００７０】
ステップ１０３：端末は基地局が通知したタイムスロットでページングメッセージを受信して復調する。
【００７１】
ステップ１０４：端末はページングメッセージに含まれているグループ番号が本端末の所属するグループ番号と同じであると判断したと、直ちに基地局にページング応答を送信し、端末はページングメッセージに含まれているグループ番号が本端末の所属するグループ番号と同じではないと判断したと、ページング応答を送信しない。
【００７２】
ステップ１０５：基地局はページング応答メッセージを受信した後、該セルでページング応答を送信するトランキング端末の所属するグループのグループリソースが作成されていないと判断したと、該グループにリソースを作成し、且つページングメッセージを周期的に送信する。
【００７３】
ページングメッセージを周期的に送信する時、複数のグループのページングメッセージがあると、合併して送信してもよい。
【００７４】
応用例２
図５に示すように、本例では、発呼者と被呼者は同一のセルに位置せず、且つ被呼者トランキング端末がアイドル状態にあり、トランキングサービスをサポートする基地局が被呼者トランキング端末に送信したページングメッセージはグループ識別子を含み、被呼者トランキング端末はページング応答を遅延送信し、それは
基地局はトランキングページングタイムスロットを確定してトランキング端末に通知する（例えばＳＩＢにおいて端末に通知し、ただし、ＳＩＢに限られない）ステップ２０１、
グループコールを作成する時、基地局は該セルで各グループに送信する必要があるページングメッセージを合併し、確定されたトランキングページングタイムスロットで該セルでのトランキング端末に送信し、該ページングメッセージはページングの必要があるグループのグループ識別子（その他のグループ情報を含んでもよい）を含むステップ２０２、
端末は基地局が通知したタイムスロットでページングメッセージを受信して復調するステップ２０３、
端末はページングメッセージに含まれているグループ番号が本端末の所属するグループ番号と同じであると判断したと、ランダム遅延アルゴリズムにより、基地局にページング応答を送信する時点を確定し、算出したページング応答時点でページング応答を送信し、ページングメッセージは本端末の所属するグループ番号にマッチングするグループ番号がないと、ページング応答を送信しないステップ２０４、
基地局はページング応答メッセージを受信した後、該セルでページング応答を送信するトランキング端末の前記グループのグループリソースが作成されていないと判断したと、該グループにリソースを作成し、且つページングメッセージを周期的に送信するステップ２０５、を含む。
【００７５】
応用例３
図６に示すように、本例では、発呼者と被呼者は同一のセルに位置せず、且つ被呼者トランキング端末がアイドル状態にあり、トランキングサービスをサポートする基地局が被呼者トランキング端末に送信したページングメッセージはグループ識別子及びページング応答識別子フィールド（ｂＮｅｅｄＰａｇｉｎｇＲｅｓｐｏｎｓｅ）を含み、被呼者トランキング端末が直ちにページング応答を送信し、それは、
基地局はトランキングページングタイムスロットを確定してトランキング端末に通知する（例えばＳＩＢにおいて端末に通知し、ただし、ＳＩＢに限られない）ステップ３０１、
グループコールを作成する時、基地局は該セルで各グループに送信する必要があるページングメッセージを合併し、確定されたトランキングページングタイムスロットで該セルでのトランキング端末に送信し、該ページングメッセージはページングの必要があるグループのグループ識別子（その他のグループ情報を含んでもよい）、及びページング応答をフィードバックする必要があるかどうかの識別子ｂＮｅｅｄＰａｇｉｎｇＲｅｓｐｏｎｓｅを含み、該ｂＮｅｅｄＰａｇｉｎｇＲｅｓｐｏｎｓｅの初期値は１であるステップ３０２、
端末は基地局が通知したタイムスロットでページングメッセージを受信して復調するステップ３０３、
端末はページングメッセージに含まれているグループ番号が本端末の所属するグループ番号と同じであると判断し、且つｂＮｅｅｄＰａｇｉｎｇＲｅｓｐｏｎｓｅ＝１であると、直ちに基地局にページング応答を送信し、さもないと、ページング応答を送信しないステップ３０４、
基地局はページング応答メッセージを受信した後、該セルでページング応答を送信するトランキング端末の前記グループのグループリソースが作成されていないと判断したと、該グループにリソースを作成し、該グループのページングメッセージのｂＮｅｅｄＰａｇｉｎｇＲｅｓｐｏｎｓｅ＝０であると設定し、該ページングメッセージを周期的に送信するステップ３０５、を含む。
【００７６】
該ｂＮｅｅｄＰａｇｉｎｇＲｅｓｐｏｎｓｅ識別子ビットはグループに対応し、すなわち１つのグループは１つの識別子に対応し、グループにおいて１つの端末がページング応答をフィードバックしさえすれば、基地局は該グループのページング応答識別子を０にする。
【００７７】
応用例４
図７に示すように、本例では、発呼者と被呼者は同一のセルに位置せず、且つ被呼者トランキング端末がアイドル状態にあり、トランキングサービスをサポートする基地局が被呼者トランキング端末に送信したページングメッセージはグループ識別子及びページング応答識別子フィールド（ｂＮｅｅｄＰａｇｉｎｇＲｅｓｐｏｎｓｅ）を含み、被呼者トランキング端末はページング応答を遅延送信し、それは、
基地局はトランキングページングタイムスロットを確定してトランキング端末に通知する（例えばＳＩＢにおいて端末に通知し、ただし、ＳＩＢに限られない）ステップ４０１、
グループコールを作成する時、基地局は該セルで各グループに送信する必要があるページングメッセージを合併し、確定されたトランキングページングタイムスロットで該セルでのトランキング端末に送信し、該ページングメッセージはページングの必要があるグループのグループ識別子（その他のグループ情報を含んでもよい）、及びページング応答をフィードバックする必要があるかどうかの識別子ｂＮｅｅｄＰａｇｉｎｇＲｅｓｐｏｎｓｅを含み、該ｂＮｅｅｄＰａｇｉｎｇＲｅｓｐｏｎｓｅの初期値は１であるステップ４０２、
端末は基地局が通知したタイムスロットでページングメッセージを受信して復調するステップ４０３、
端末はページングメッセージに含まれているグループ番号が本端末の所属するグループ番号と同じであると判断し、且つｂＮｅｅｄＰａｇｉｎｇＲｅｓｐｏｎｓｅ＝１であると、ランダムアルゴリズムにより、基地局にページング応答を送信する時点を確定し、算出したページング応答時点でページング応答を送信し、ページングメッセージに本端末の所属するグループ番号を含んでいない、又はｂＮｅｅｄＰａｇｉｎｇＲｅｓｐｏｎｓｅ＝０であると、ページング応答を送信しないステップ４０４、
基地局はページング応答メッセージを受信した後、該セルでページング応答を送信するトランキング端末の前記グループリソースが作成されていないと判断したと、該グループにリソースを作成し、該グループのページングメッセージのｂＮｅｅｄＰａｇｉｎｇＲｅｓｐｏｎｓｅ＝０であると設定し、該ページングメッセージを周期的に送信するステップ４０５、を含む。
【００７８】
応用例５
図８に示すように、本例では、発呼者と被呼者は同一のセルに位置せず、且つ被呼者トランキング端末がアイドル状態にあり、トランキングサービスをサポートする基地局が被呼者トランキング端末に送信したページングメッセージはグループ識別子を含み、トランキング端末はページングメッセージを受信した後ページング応答を送信せず、それは
基地局はトランキングページングタイムスロットを確定してトランキング端末に通知する（例えばＳＩＢにおいて端末に通知し、ただし、ＳＩＢに限られない）ステップ５０１、
グループコールを作成する時、基地局は該セルで各グループに送信する必要があるページングメッセージを合併し、確定されたトランキングページングタイムスロットで該セルでのトランキング端末に送信し、該ページングメッセージはページングの必要があるグループのグループ識別子（その他のグループ情報を含んでもよい）を含むステップ５０２、
端末は基地局が通知したタイムスロットでページングメッセージを受信して復調するステップ５０３、
端末はページングメッセージに含まれているグループ番号が本端末の所属するグループ番号と同じであると判断し、ページング応答を送信しないステップ５０４、
基地局はページング応答メッセージを待たず、直接にページングされたグループにリソースを作成し、且つページングメッセージを周期的に送信するステップ５０５、を含む。
【００７９】
ページングメッセージに含まれているグループ番号が本端末の所属するグループ番号と同じであると判断された端末はグループコールにアクセスし、ページングメッセージに含まれているグループ番号が本端末の所属するグループ番号と同じではないと判断された端末はグループコールにアクセスしない。
【００８０】
その他の例では、基地局がページング応答を待たずにグループリソースを作成するように設定されてもよい。
【００８１】
応用例６
図９に示すように、本例には発呼者と被呼者は同一のセルに位置せず、且つ被呼者トランキング端末がＬＴＥサービス状態にある時ページングメッセージを受信した後の処理は、
基地局はトランキングページングタイムスロットを確定してトランキング端末に通知する（例えばＳＩＢにおいて端末に通知し、ただし、ＳＩＢに限られない）ステップ６０１、
基地局は該セルで各グループに送信する必要があるページングメッセージを合併し、確定されたトランキングページングタイムスロットで該セルでのトランキング端末に送信し、該ページングメッセージはページングの必要があるグループのグループ識別子（その他のグループ情報を含んでもよい）を含むステップ６０２、
トランキング端末はＬＴＥサービス状態でトランキングページングメッセージを受信し、ＰＵＳＣＨ（Ｐｈｙｓｉｃａｌ  Ｕｐｌｉｎｋ  Ｓｈａｒｅｄ  Ｃｈａｎｎｅｌ、物理上りリンク共有チャネル）で基地局にページング応答を送信するステップ６０３、
基地局はページング応答メッセージを受信した後、該セルでページング応答を送信するトランキング端末の前記グループリソースが作成されていないと判断したと、該グループにリソースを作成し、且つページングメッセージを周期的に送信するステップ６０４、
該トランキング端末はトランキングサービスにアクセスするステップ６０５、を含む。
【００８２】
本例では、トランキング端末は直ちに基地局にページング応答を送信してもよく、遅延した後送信してもよい。その他の例では、応用例３又は応用例４に記載されたように、該基地局はページングメッセージにページング応答識別子ビットを含んでもよく、トランキング端末は該識別子ビットに基づいてページング応答を送信するかどうかを判断し、送信の必要があると、端末は直ちに送信してもよく、遅延した後送信してもよい。
【００８３】
応用例７
図１０に示すように、本例には発呼者と被呼者が同一のセルに属する時の基地局の処理は、  
基地局はトランキングページングタイムスロットを確定してトランキング端末に通知する（例えばＳＩＢにおいて端末に通知し、ただし、ＳＩＢに限られない）ステップ７０１、
グループコールを作成する時、基地局は発呼者が該セルに属し、すなわち被呼者と発呼者が１つのセルに属すると判断したと、該セルでトランキングユーザがあるとデフォルトし、直接にグループリソースを作成し、すなわち、ページングメッセージを送信する前にグループリソースを作成してもよく、ページングメッセージを送信すると同時にグループリソースを作成してもよく、要するに、まずページングメッセージを送信してからグループリソースを作成する必要がないステップ７０２、を含む。
【００８４】
被呼者トランキング端末がページングメッセージを受信した後の処理は上記応用例における手段を参照しながら実現されることができる。
【００８５】
応用例８
本例には基地局が送信したページングメッセージに優先度を含んでいるシーン、すなわち基地局が送信したページングメッセージがページングの必要があるグループに対応する優先度識別子情報を含んでいることを説明する。本例は上記のいずれか１つの例と組み合せることができる。
【００８６】
ある端末が同時に複数のグループに属し、且つちょうど該複数のグループが同時にサービスする場合、端末がページングメッセージを判断する時、ページングメッセージに含まれる複数のグループ識別子が本端末の所属するグループ識別子と同じであることが発生し、この時、グループの優先度識別子情報に基づいて、優先度が最も高いグループのグループサービスを選択してアクセスすることができる。
【００８７】
別の場合では、端末が現在にグループサービスにあり、ページングメッセージをモニタリングした後、ページングメッセージに含まれるグループ識別子が本端末の所属するグループ識別子と同じであると判断し、且つページングメッセージのグループの優先度が現在のグループの優先度より高いと、現在のグループサービスからログアウトし、該ページングメッセージのグループ識別子が指示するグループサービスにアクセスしてもよく、ページングメッセージに含まれるグループ識別子が本端末の所属するグループ識別子と同じではないと判断し、又はページングメッセージのグループの優先度が現在のグループの優先度より高くないと、該ページングメッセージを応答しなくてもよい。
【００８８】
当業者は、上記方法における全部又は一部のステップをプログラムによって関連ハードウェアに命令を出して完成させることができ、前記プログラムはコンピュータ読み取り可能な記憶媒体、例えば読取り専用メモリ、ディスク又は光ディスク等に記憶してもよいと理解することができる。選択肢として、上記実施例の全部又は一部のステップは１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明はいかなる特定形式のハードウェアとソフトウェアの組合せに限らない。
【００８９】
もちろん、本発明はその他の複数の種の実施例を有してもよく、本発明の趣旨及びその実質から逸脱しない場合、当業者は本発明に基づいて各種の相応な変更及び変形を行うことができるが、これらの相応な変更及び変形はいずれも本発明の請求項の保護範囲に属すべきである。
【産業上の利用可能性】
【００９０】
本実施例はシステムがトランキングページングを周期的に送信する複雑度を低減させ、上りリンクページング応答及び下りリンクページングオーバーヘッドを減少させ、システム容量を向上させる。同一のセルでの異なるグループのトランキングページングを所定タイムスロットに合併して送信するとともに、グループ端末のページング応答を受信した後、ページングメッセージにおけるページング応答識別子ビットにより端末がページング応答を送信しなくなるように制御し、ページングに起因するオーバーヘッドを減少させ、システム容量を向上させる。さらに、端末がページング応答を送信する時点に対してランダム化遅延処理を行い、上りリンクにおける衝突を減少させる。
【図８】
2015537450.tif 000003
【図１】
2015537450.tif 000004
【図２】
2015537450.tif 000005
【図３】
2015537450.tif 000006
【図４】
2015537450.tif 000007
【図５】
2015537450.tif 000008
【図６】
2015537450.tif 000009
【図７】
2015537450.tif 000010
【図９】
2015537450.tif 000011
【図１０】
2015537450.tif 000012
【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
基地局がグループページング要求を受信した後、あらかじめ確定されたページングタイムスロットで該セル内のトランキング端末に、ページングの必要があるグループのグループ識別子を含むページングメッセージを送信することを含む、ロングタームエボリューション（ＬＴＥ）システムにおいてトランキングページングを送信する方法。
【請求項２】
前記基地局があらかじめ確定されたページングタイムスロットで該セル内のトランキング端末にページングメッセージを送信することは、
前記基地局は前記グループページング要求における発呼者が該セルに属し、且つ該セル内において前記グループページング要求のリソースが作成されていないと判断すると、前記グループページング要求のためにグループリソースを作成すると同時に又は前記グループページング要求のためにグループリソースを作成した後、あらかじめ確定されたページングタイムスロットで該セル内のトランキング端末にページングメッセージを送信することと、前記基地局は前記グループページング要求における発呼者が該セルに属しないと判断すると、あらかじめ確定されたページングタイムスロットで該セル内のトランキング端末にページングメッセージを送信することとを含む請求項１に記載の方法。
【請求項３】
前記あらかじめ確定されたページングタイムスロットで該セル内のトランキング端末にページングメッセージを送信することは、  
該セル内に２つ以上のグループのページングメッセージを送信しようとする時、前記２つ以上のグループのページングメッセージを合併し、あらかじめ確定されたページングタイムスロットで該セル内のトランキング端末に合併後のページングメッセージを送信することを含む請求項１又は２に記載の方法。
【請求項４】
ページングメッセージを送信した後、
前記基地局はページング応答を待たず、該セル内に前記グループページング要求のリソースが作成されていないと判断すると、前記グループページング要求のためにリソースを作成し、ページングメッセージを周期的に送信し、
好ましいのは、前記ページングメッセージを周期的に送信することは、該セル内にページングの必要があるグループのページングメッセージを周期的に合併して送信することを含み、前記ページングメッセージがページングの必要がある１つ又は複数のグループのグループ識別子を含み、
または、
前記ページングメッセージはページングの必要があるグループに対応するページング応答識別子情報を更に含み、前記ページング応答識別子情報は対応するグループにおける端末がページング応答を送信する必要があるかどうかを指示することに用いられ、
好ましいのは、前記基地局がグループにおける１つ又は複数の端末から送信されたページング応答を受信した後、再び前記グループにおける端末にページングメッセージを送信する時、前記ページング応答識別子情報は前記グループにおける端末がページング応答を送信する必要がないことを指示する請求項１または２に記載の方法。
【請求項５】
前記ページングメッセージは、ページングの必要があるグループに対応する優先度識別子情報を更に含み、
または、
前記該セル内のトランキング端末はアイドル状態にあるトランキング端末及び／又はＬＴＥサービス状態にあるトランキング端末を含む請求項１に記載の方法。
【請求項６】
トランキング端末はページングメッセージをモニタリングした後、前記ページングメッセージに含まれるグループ識別子が該トランキング端末の所属するグループのグループ識別子と同一であると判断すると、グループサービスにアクセスすることと、
前記トランキング端末は基地局にページング応答を送信し、又は前記基地局にページング応答を送信せず、又は前記ページングメッセージに含まれるページング応答識別子情報に基づいて前記基地局にページング応答を送信するかどうかを判断することとを含む、ロングタームエボリューション（ＬＴＥ）システムにおいてトランキングページングを受信する方法。
【請求項７】
前記トランキング端末がＬＴＥサービス状態にある時、前記基地局にページング応答を送信することは、前記トランキング端末が物理上りリンク共有チャネル（ＰＵＳＣＨ）でページング応答を送信することを含む請求項６に記載の方法。
【請求項８】
前記ページングメッセージに含まれるページング応答識別子情報に基づいて前記基地局にページング応答を送信するかどうかを判断することは、
前記ページング応答識別子情報がページング応答を送信する必要があることを指示すると判断した時、前記トランキング端末は前記基地局にページング応答を送信し、前記ページング応答識別子情報がページング応答を送信する必要がないことを指示すると判断した時、前記トランキング端末は前記基地局にページング応答を送信しないことを含む請求項６に記載の方法。
【請求項９】
前記の基地局にページング応答を送信することは、前記トランキング端末が直ちに基地局にページング応答を送信し、又は遅延した後に基地局にページング応答を送信することを含み、
または、
前記ページングメッセージはグループに対応する優先度識別子情報を更に含み、
前記ページングメッセージに含まれるグループ識別子が該端末の所属するグループのグループ識別子と同一であると判断すると、グループサービスにアクセスすることは、  
前記ページングメッセージに含まれる２つ以上のグループ識別子が該端末の所属するグループのグループ識別子と同一であると判断し、グループに対応する優先度識別子情報に基づいて、優先度が最も高いグループのグループサービスを選択してアクセスすることを含み、
または、
前記ページングメッセージはグループに対応する優先度識別子情報を更に含み、前記トランキング端末はグループサービスにあり、前記ページングメッセージに含まれるグループ識別子が該端末の所属するグループのグループ識別子と同一であると判断すると、グループサービスにアクセスすることは、
前記グループサービスにあるトランキング端末は、前記ページングメッセージに含まれるグループ識別子が該端末の所属するグループのグループ識別子と同一であると判断し、且つ前記ページングメッセージに含まれるグループの優先度が現在のグループの優先度より高いと、現在のグループサービスからログアウトし、前記ページングメッセージに含まれるグループ識別子が指示するグループサービスにアクセスすることを含む請求項６に記載の方法。
【請求項１０】
グループページング要求を受信するように設定される受信モジュールと、
前記受信モジュールが前記グループページング要求を受信された後、あらかじめ確定されたページングタイムスロットで該セル内のトランキング端末にページングの必要があるグループのグループ識別子を含むページングメッセージを送信するように設定される送信モジュールとを含む、ロングタームエボリューション（ＬＴＥ）システムにおいてトランキングページングを送信する基地局。
【請求項１１】
前記基地局は、前記受信モジュールが前記グループページング要求を受信された後、前記グループページング要求における発呼者が該基地局セルに属するかどうかを判断するように設定される判断モジュールを更に含み、
前記送信モジュールは、
前記判断モジュールが、前記グループページング要求における発呼者が該セルに属すると判断し、且つ該セル内の前記グループページング要求のリソースが作成されていない時、前記グループページング要求のためにグループリソースを作成すると同時に又は前記グループページング要求のためにグループリソースを作成した後、あらかじめ確定されたページングタイムスロットで該セル内のトランキング端末にページングメッセージを送信し、及び前記判断モジュールが前記グループページング要求における発呼者が該セルに属しないと判断した時、あらかじめ確定されたページングタイムスロットで該セル内のトランキング端末にページングメッセージを送信するように設定される請求項１０に記載の基地局。
【請求項１２】
前記送信モジュールは、
該セル内に２つ以上のグループのページングメッセージを送信しようとする時、前記２つ以上のグループのページングメッセージを合併し、あらかじめ確定されたページングタイムスロットで該セル内のトランキング端末に合併後のページングメッセージを送信するように設定され、
または、
前記基地局は、前記送信モジュールがページングメッセージを送信した後、ページング応答を待たず、該セル内の前記グループページング要求のリソースが作成されていないと判断する時、前記グループページング要求のためにリソースを作成し、前記送信モジュールがページングメッセージを周期的に送信するように指示するように設定されるリソース作成モジュールを更に含み、
好ましいのは、
前記送信モジュールは、該セル内にページングの必要があるグループのページングメッセージを周期的に合併して送信するという方式で、ページングメッセージを周期的に送信するように設定され、前記ページングメッセージがページングの必要がある１つ又は複数のグループのグループ識別子を含み、
または、
前記ページングメッセージはページングの必要があるグループに対応するページング応答識別子情報を更に含み、前記ページング応答識別子情報は対応するグループにおける端末がページング応答を送信する必要があるかどうかを指示することに用いられ、
好ましいのは、前記基地局がグループにおける１つ又は複数の端末から送信されたページング応答を受信した後、前記送信モジュールが再び前記グループにおける端末にページングメッセージを送信する時、前記ページング応答識別子情報が、前記グループにおける端末がページング応答を送信する必要がないことを指示するように設定されるページング応答識別子情報設定モジュールを更に含む請求項１０または１１に記載の基地局。
【請求項１３】
前記ページングメッセージは、ページングの必要があるグループに対応する優先度識別子情報を更に含み、
または、
前記該セル内のトランキング端末はアイドル状態にあるトランキング端末及び／又はＬＴＥサービス状態にあるトランキング端末を含む請求項１０に記載の基地局。
【請求項１４】
ページングメッセージをモニタリングするように設定されるモニタリングモジュールと、
前記モニタリングモジュールがページングメッセージをモニタリングした後、前記ページングメッセージに含まれるグループ識別子が該端末の所属するグループのグループ識別子と同一であるかどうかを判断するように設定される判断モジュールと、
前記判断モジュールが、前記ページングメッセージに含まれるグループ識別子が該トランキング端末の所属するグループのグループ識別子と同一であると判断した時、グループサービスにアクセスし、基地局にページング応答を送信し、又は前記基地局にページング応答を送信せず、又は前記ページングメッセージに含まれるページング応答識別子情報に基づいて前記基地局にページング応答を送信するかどうかを判断するように設定されるグループサービス処理モジュールとを含む、ロングタームエボリューション（ＬＴＥ）システムにおいてトランキングページングを受信するトランキング端末。
【請求項１５】
前記グループサービス処理モジュールは、該トランキング端末がＬＴＥサービス状態にあると判断した時、前記グループサービス処理モジュールが物理上りリンク共有チャネル（ＰＵＳＣＨ）でページング応答を送信するという方式で、基地局にページング応答を送信するように設定され、
または、
前記グループサービス処理モジュールは、
前記ページング応答識別子情報がページング応答を送信する必要があることを指示すると判断した時、前記基地局にページング応答を送信し、前記ページング応答識別子情報がページング応答を送信する必要がないことを指示すると判断した時、前記基地局にページング応答を送信しないという方式で、前記基地局にページング応答を送信するかどうかを判断するように設定され、
または、
前記グループサービス処理モジュールは、直ちに基地局にページング応答を送信し、又は遅延した後に基地局にページング応答を送信するという方式で、基地局にページング応答を送信するように設定され、
または、
前記ページングメッセージはグループに対応する優先度識別子情報を更に含み、
前記グループサービス処理モジュールは、
前記判断モジュールが、前記ページングメッセージに含まれる２つ以上のグループ識別子が該端末の所属するグループのグループ識別子と同一であると判断した時、グループに対応する優先度識別子情報に基づいて、優先度が最も高いグループのグループサービスを選択してアクセスするという方式で、グループサービスにアクセスするように設定され、
または、
前記ページングメッセージはグループに対応する優先度識別子情報を更に含み、且つ現在のトランキング端末がグループサービスにある時、前記グループサービス処理モジュールは、
前記判断モジュールが、前記ページングメッセージに含まれるグループ識別子が該端末の所属するグループのグループ識別子と同一であると判断した時、前記ページングメッセージに含まれるグループの優先度が現在のグループの優先度より高いと判断すると、前記トランキング端末を、現在のグループサービスからログアウトさせ、前記ページングメッセージに含まれるグループ識別子が指示するグループサービスにアクセスさせるという方式で、グループサービスにアクセスするように設定される請求項１４に記載のトランキング端末。
【国際調査報告】
2015537450.tif 000013
2015537450.tif 000014
2015537450.tif 000015
2015537450.tif 000016